(57)【特許請求の範囲】
【請求項１】
下記（ａ）成分、（ｂ）成分及び（ｃ）成分を含有し、（ａ）成分の含有量が０．１〜３．０重量％、（ａ）成分と（ｂ）成分の重量比が（ａ）／（ｂ）＝１／９〜９／１、（ａ）成分と（ｂ）成分の合計重量と（ｃ）成分の重量比が［（ａ）＋（ｂ）］／（ｃ）＝９／１〜２／８である繊維製品処理剤組成物。
（ａ）成分：一分子中にアミノ基又はアンモニウム基と、ポリオキシアルキレン鎖（アルキレン基の炭素数２〜４、オキシアルキレン基の平均付加モル数１〜２００）とを有する変性シリコーン
（ｂ）成分：２５℃における動粘度が１００〜３０００００ｍｍ2／ｓで、アミノ当量が５００〜１５０００ｇ／ｍｏｌのアミノ変性シリコーン
（ｃ）成分：窒素原子に結合する３個の基のうち、１又は２個が炭素数８〜２０の炭化水素基、残りが炭素数１〜３のヒドロキシ基で置換されていても良い炭化水素基である３級アミン、その中和物もしくはその４級化物
【請求項２】
（ａ）成分が、下記一般式（１）で表される変性シリコーンである請求項１記載の繊維製品処理剤組成物。
【化１】
0004574494.tif 000011
〔式中、Ｒ1は水素原子又は炭素数１〜６の１価の炭化水素基を示す。Ｒ2はＲ1又はＡのいずれかを示す。Ａは−Ｒ3−Ｚ（ここでＲ3は直接結合手又は炭素数１〜２０の２価の炭化水素基、Ｚは１〜３級アミノ基含有基又はアンモニウム基含有基を示す）で表される反応性官能基を示す。ａは２以上の整数、ｂは１以上の整数、ｃは４以上の数、ｎは２〜４の整数を示し、ｃ個の(ＣnＨ2nＯ)は同一でも異なっていてもよい。ｄは２以上の整数を示す。Ｙは炭素−ケイ素結合によって隣接ケイ素原子に、そして酸素原子を介してポリオキシアルキレン鎖に結合している２価の有機基を示す。ポリシロキサンブロックは変性シリコーン全体の４５〜８５重量％を占める。これらの基は、変性シリコーンの重量平均分子量が８０００以上５０００００以下となるように選択される。〕
【請求項３】
一般式（１）で表される変性シリコーンのアミノ当量が５００〜８０００ｇ／ｍｏｌである請求項２記載の繊維製品処理剤組成物。
【請求項４】
（ａ）成分が、下記一般式（２）で表される変性シリコーンである請求項１記載の繊維製品処理剤組成物。
【化２】
0004574494.tif 000012
〔式中、Ｘは−Ｒ6、−Ｏ−Ｒ6又は−ＯＨであり、Ｒ6は炭素数１〜４の１価の炭化水素基を示す。Ｒ4は互いに独立して水素原子、−ＯＨ、又は炭素数１〜６の１価の炭化水素を示す。Ｒ5はＲ4、Ｂ又はＣのいずれかを示す。Ｂ及びＣは−Ｒ7−Ｑ［ここでＲ7は直接結合手又は炭素数１〜２０の２価の炭化水素基を示し、Ｑは１〜３級アミノ基含有基又はアンモニウム基含有基、又は−Ｏ(ＣmＨ2mＯ)iＲ8（ｍは２〜４の整数を示し、ｉは１〜２００の数を示し、ｉ個の(ＣmＨ2mＯ)は同一でも異なっていても良い。Ｒ8は１価の炭化水素基又は水素原子を示す）］、又は−Ｒ7−ＮＲ10−Ｒ9−Ｏ(ＣmＨ2mＯ)iＲ8（Ｒ9は直接結合手、又は炭素数１〜２０の２価の炭化水素基、又は水素原子の一部が水酸基に置換された炭化水素基を示し、Ｒ10は水素原子又は−Ｒ9−Ｏ(ＣmＨ2mＯ)iＲ8を示す。Ｒ7、ｍ、ｉ及びＲ8は前記と同じである）で表される反応性もしくは非反応性官能基を示す。Ｂ及びＣは同一でも異なっていても良いが、Ｂ及びＣが−Ｒ7−Ｑで表される基で、Ｂ、Ｃの一方のＱがアミノ基含有基又はアンモニウム基含有基である場合、他方のＱは−Ｏ(ＣmＨ2mＯ)iＲ8である。ｅ、ｆ、ｇは１以上の整数を示す。これらの基は、変性シリコーンの２５℃における動粘度が９０００ｍｍ2／ｓ以上となるように選択される。〕
【請求項５】
一般式（２）で表される変性シリコーンのアミノ当量が５００〜８０００ｇ／ｍｏｌである請求項４記載の繊維製品処理剤組成物。
【発明の詳細な説明】
【技術分野】
【０００１】
本発明は、洗濯した繊維製品を乾燥したときに生じるシワを効果的に除去することができ、更に柔軟性も付与することができる繊維製品処理剤組成物に関する。
【背景技術】
【０００２】
従来から家庭で広く使われている乾燥機能のみを有する乾燥機（タンブル乾燥機）に加え、昨今では、洗濯機に加熱ヒーターを搭載して乾燥機能を付加した洗濯乾燥機が急速に普及してきている。洗濯乾燥機には、洗濯槽が回転して衣類を洗う所謂ドラム式洗濯機と、洗濯槽底部の撹拌翼（パルセーター）で水流を生じさせ衣類を洗う全自動洗濯機に乾燥機能の付いた縦型洗濯乾燥機に大別される。いずれの機種においても、乾燥した衣料の仕上がりは、化繊衣料や木綿／化繊混紡衣料などでは比較的シワが少ないのに対し、Ｔシャツや肌着といった木綿衣料では著しくシワになってしまうことから、こうした木綿衣料のシワを改善できるような仕上げ剤が強く要望されている。
【０００３】
家庭用の乾燥機を用いた繊維製品の処理剤、及び処理方法は既に知られている。特許文献１〜５には、繊維製品の柔軟仕上げ、帯電防止等を目的として、柔軟剤を含浸させた特定の基材からなる乾燥機用繊維製品コンディショニング剤が開示されている。また、特許文献６、７には、特定のシリコーン化合物を含有した組成物を可撓性基材に含浸させた乾燥機用シートの技術が開示されている。しかしながらこれら技術は、シワ除去に関しては何ら示唆するものではなく、しかもこれら公報の技術を用いても満足できるシワ除去効果を得ることはできない。
【０００４】
一方、特許文献８、９には、繊維製品を回転槽内で加熱乾燥することで繊維製品のシワを除去する技術が開示されているが、対象となる繊維製品がスーツ等のドライクリーニング衣料に限定され、また着用後の乾いた状態の該衣料に噴霧処理することが前提となっており、濡れた衣料を乾燥機や洗濯乾燥機で乾燥したときに生じるシワの改善に関しては何ら示唆するものではなく、しかもこれら公報の技術を用いても満足できるシワ除去効果を得ることはできない。
【０００５】
特許文献１０、１１には、反応性シリコーン系ブロック共重合体やアミノ変性ポリシロキサン−ポリオキシアルキレンブロック共重合体を用いた繊維処理剤が開示されているが、これらは、従来から繊維処理剤に用いられているアミノ変性ジメチルポリシロキサンの特性であるぬめり感や撥水性といった課題を回避し、柔軟性、帯電防止性を付与する技術であり、濡れた衣料を乾燥機や洗濯乾燥機で乾燥したときに生じるシワの改善に関しては何ら示唆するものではない。また、処理濃度が高く、目的の効果を得るためには高い温度で処理する必要もあり、一般家庭で実施することは難しい。
【０００６】
特許文献１２には、繊維製品の家庭洗濯工程終了時点における、洗濯機からの繊維製品の取り出しにくさを改善する仕上げ剤組成物が開示されている。本仕上げ剤組成物は、特定の変性シリコーンと特定のアミン化合物、該アミン化合物の中和物及び／又は該アミン化合物の４級化物とを混合した後に水相と混合して得られる組成物であり、またこれら技術は、濡れた衣料を乾燥機や洗濯乾燥機で乾燥したときに生じるシワの改善に関しては何ら示唆するものではなく、しかもこれら公報の技術を用いても満足できるシワ除去効果を得ることはできない。
【特許文献１】特表平９−５０２３６９号公報
【特許文献２】特表平１０−５１２９２９号公報
【特許文献３】特開平７−８２６６９号公報
【特許文献４】特開平７−１８５７８号公報
【特許文献５】特開昭５２−３１２００号公報
【特許文献６】特開平６−１７３７６号公報
【特許文献７】特開昭６３−４２９７８号公報
【特許文献８】特開２００２−１１５１８２号公報
【特許文献９】特開２００３−２０５６１号公報
【特許文献１０】特開平９−１１１６６８号公報
【特許文献１１】特開平９−１８３８５４号公報
【特許文献１２】特開２００３−８９９７９号公報
【発明の開示】
【発明が解決しようとする課題】
【０００７】
本発明の課題は、洗濯・脱水後の繊維製品を乾燥したときに生じるシワ、特に乾燥機や洗濯乾燥機で乾燥したときに生じるシワを効果的に除去することができ、更に柔軟性も付与することができる繊維製品処理剤組成物を提供することにある。
【課題を解決するための手段】
【０００８】
本発明は、下記（ａ）成分及び（ｂ）成分を含有し、（ａ）成分と（ｂ）成分の重量比が、（ａ）／（ｂ）＝１／９〜９／１である繊維製品処理剤組成物を提供する。
（ａ）成分：一分子中にアミノ基又はアンモニウム基と、ポリオキシアルキレン鎖（アルキレン基の炭素数２〜４、オキシアルキレン基の平均付加モル数１〜２００）とを有する変性シリコーン
（ｂ）成分：（ａ）成分以外の変性シリコーン
また本発明は、更に、（ｃ）成分として、窒素原子に結合する３個の基のうち、１又は２個が炭素数８〜２０の炭化水素基、残りが炭素数１〜３のヒドロキシ基で置換されていても良い炭化水素基である３級アミン、その中和物もしくはその４級化物を含有する、上記繊維製品処理剤組成物を提供する。
【発明の効果】
【０００９】
本発明の繊維製品処理剤組成物は、繊維製品を洗濯するときの濯ぎ工程での濯ぎ水や、別途用意した水に希釈し繊維製品に付与することで、当該繊維製品を乾燥したときに生じるシワ、特に乾燥機や洗濯乾燥機で乾燥したときに生じるシワを効果的に除去することができ、更に繊維製品に柔軟性を付与することもできる。
【発明を実施するための最良の形態】
【００１０】
［（ａ）成分］
（ａ）成分の変性シリコーンは、一分子中にアミノ基又はアンモニウム基と、ポリオキシアルキレン鎖（アルキレン基の炭素数２〜４、好ましくは２〜３、オキシアルキレン基の平均付加モル数１〜２００、好ましくは１〜１００）とを有する変性シリコーンであり、下記一般式（１）又は（２）で表される変性シリコーンが好ましい。
【００１１】
【化３】
0004574494.tif 000002
【００１２】
〔式中、Ｒ1は水素原子又は炭素数１〜６の１価の炭化水素基を示す。Ｒ2はＲ1又はＡのいずれかを示す。Ａは−Ｒ3−Ｚ（ここでＲ3は直接結合手又は炭素数１〜２０の２価の炭化水素基、Ｚは１〜３級アミノ基含有基又はアンモニウム基含有基を示す）で表される反応性官能基を示す。ａは２以上の整数、ｂは１以上の整数、ｃは４以上の数、ｎは２〜４の整数を示し、ｃ個の(ＣnＨ2nＯ)は同一でも異なっていてもよい。ｄは２以上の整数を示す。Ｙは炭素−ケイ素結合によって隣接ケイ素原子に、そして酸素原子を介してポリオキシアルキレン鎖に結合している２価の有機基を示す。ポリシロキサンブロックは変性シリコーン全体の４５〜８５重量％を占める。これらの基は、変性シリコーンの重量平均分子量が８０００以上５０００００以下となるように選択される。〕
【００１３】
【化４】
0004574494.tif 000003
【００１４】
〔式中、Ｘは−Ｒ6、−Ｏ−Ｒ6又は−ＯＨであり、Ｒ6は炭素数１〜４の１価の炭化水素基を示す。Ｒ4は互いに独立して水素原子、−ＯＨ、又は炭素数１〜６の１価の炭化水素を示す。Ｒ5はＲ4、Ｂ又はＣのいずれかを示す。Ｂ及びＣは−Ｒ7−Ｑ［ここでＲ7は直接結合手又は炭素数１〜２０の２価の炭化水素基を示し、Ｑは１〜３級アミノ基含有基又はアンモニウム基含有基、又は−Ｏ(ＣmＨ2mＯ)iＲ8（ｍは２〜４の整数を示し、ｉは１〜２００の数を示し、ｉ個の(ＣmＨ2mＯ)は同一でも異なっていても良い。Ｒ8は１価の炭化水素基又は水素原子を示す）］、又は−Ｒ7−ＮＲ10−Ｒ9−Ｏ(ＣmＨ2mＯ)iＲ8（Ｒ9は直接結合手、又は炭素数１〜２０の２価の炭化水素基、又は水素原子の一部が水酸基に置換された炭化水素基を示し、Ｒ10は水素原子又は−Ｒ9−Ｏ(ＣmＨ2mＯ)iＲ8を示す。Ｒ7、ｍ、ｉ及びＲ8は前記と同じである）で表される反応性もしくは非反応性官能基を示す。Ｂ及びＣは同一でも異なっていても良いが、Ｂ及びＣが−Ｒ7−Ｑで表される基で、Ｂ、Ｃの一方のＱがアミノ基含有基又はアンモニウム基含有基である場合、他方のＱは−Ｏ(ＣmＨ2mＯ)iＲ8である。ｅ、ｆ、ｇは１以上の整数を示す。これらの基は、変性シリコーンの２５℃における動粘度が９０００ｍｍ2／ｓ以上となるように選択される。〕
上記一般式（１）の変性シリコーンにおいて、ポリシロキサンブロックは変性シリコーン全体の４５〜８５重量％を占め、変性シリコーンの重量平均分子量は８，０００以上５０００００以下であり、望ましくは１５０００以上４０００００以下、更に望ましくは２５０００以上３５００００以下である。
【００１５】
また、上記一般式（１）の変性シリコーンにおいて、各ポリシロキサンブロックの重量平均分子量は６００〜５０００、各ポリオキシアルキレンブロックの重量平均分子量は５００〜３０００であることが望ましい。
【００１６】
本発明において、上記の重量平均分子量は、ゲル・パーミエーション・クロマトグラフィーを用いて、溶離液としてクロロホルムを、標準物質としてポリスチレンを用いた定法より測定された値である。
【００１７】
また、シロキサンブロックは、−［Ｓｉ（Ｒ1）2−Ｏ］a−及び−Ｓｉ（Ｒ1）2−Ｏ−で表される、Ｒ1基を２個有するシロキサンのことをいい、シロキサンブロックの割合とは、シロキサンブロックの分子量と一般式（１）の変性シリコーンの分子量の比を、重量％で表したものをいう。上記の重量％は、変性シリコーンをメタノール−ｄ4溶液に希釈し、1Ｈ−ＮＭＲを測定し、スペクトルのピークの帰属により求められる。
【００１８】
また、上記一般式（１）の変性シリコーンは、２５℃における動粘度は５００ｍｍ2／ｓ以上、更に１００００ｍｍ2／ｓ以上、特に２００００ｍｍ2／ｓ以上であることが好ましい。この粘度は、Ｂ型粘度計で、２５℃の条件下で測定したものである。
【００１９】
また、上記一般式（１）の変性シリコーンは、アミノ当量が、５００〜８０００ｇ／ｍｏｌ、更に８００〜４５００ｇ／ｍｏｌであることが好ましい。アミノ当量は、窒素原子１つ当たりの分子量であり、アミノ当量＝分子量／窒素原子数で求められる。分子量はゲルパーミエーションクロマトグラフィーでポリスチレンを標準として求めた値であり、窒素原子数は元素分析法により求めることができる。
【００２０】
上記一般式（２）で表される変性シリコーンにおいて、Ｂ及びＣは−Ｒ7−Ｑ、又は−Ｒ7−ＮＲ10−Ｒ9−Ｏ(ＣmＨ2mＯ)iＲ8で表される反応性もしくは非反応性官能基を示し、Ｂ及びＣが−Ｒ7−Ｑで表される基で、Ｂ、Ｃの一方のＱがアミノ基含有基又はアンモニウム基含有基である場合、他方のＱは−Ｏ(ＣmＨ2mＯ)iＲ8であるが、Ｂ、Ｃの一方が−Ｒ7−ＮＲ10−Ｒ9−Ｏ(ＣmＨ2mＯ)iＲ8である場合、他方は特に限定されない。
【００２１】
上記一般式（２）の変性シリコーンは、２５℃における動粘度は９０００ｍｍ2／ｓ以上であり、１５０００ｍｍ2／ｓ以上であることが好ましい。また、重量平均分子量は１００００以上５０００００以下、更に１５０００以上４０００００以下、特に２５０００以上３５００００以下が好ましい。これらの動粘度及び重量平均分子量の測定方法は前記の通りである。また、上記一般式（２）の変性シリコーンは、アミノ当量は、５００〜８０００ｇ／ｍｏｌ、更に８００〜４５００ｇ／ｍｏｌであることが好ましい。
【００２２】
［（ｂ）成分］
（ｂ）成分の変性シリコーンとしては、アミノ変性シリコーン、ポリエーテル変性シリコーン、アルキル・ポリエーテル変性シリコーン、カルボキシル変性シリコーン、アルキル変性シリコーン、メタクリル変性シリコーン等が挙げられ、アミノ変性シリコーンが好ましい。アミノ変性シリコーンの２５℃における動粘度（オストワルト型粘度計や、Ｂ型粘度計等で求めることができる）は、好ましくは１００〜３０００００ｍｍ2／ｓ、より好ましくは５００〜２０００００ｍｍ2／ｓ、特に好ましくは１０００〜１０００００ｍｍ2／ｓである。アミノ当量は、好ましくは５００〜１５０００ｇ／ｍｏｌ、より好ましくは２０００〜１００００ｇ／ｍｏｌ、特に好ましくは３０００〜８０００ｇ／ｍｏｌである。
【００２３】
このようなアミノ変性シリコーンとしては、特開２００１−４９５８２、特開２００１−１９２９７３、特開２００２−３７１４７４、特開平８−３２５９５２、特開平１０−１３１０５４等の公報に記載のアミノ変性シリコーンを用いることができる。
【００２４】
（ｂ）成分の好適な具体例として、一般式（３）で表される化合物が挙げられる。
【００２５】
【化５】
0004574494.tif 000004
【００２６】
〔式中、Ｒ3aは炭素数１〜３のアルキル基、ヒドロキシ基、−ＯＲ3d（ここでＲ3dは炭素１〜３のアルキル基）又は水素原子を示し、Ｒ3bは炭素数１〜３のアルキル基、ヒドロキシ基又は水素原子を示す。Ｅは少なくとも１つのアミノ基を有する側鎖を示し、Ｒ3cは炭素数１〜３のアルキル基又は水素原子を示す。ｊは１０〜１０，０００の数、ｋは１〜１，０００の数を示し、重量平均分子量が２，０００〜１，０００，０００となる数を示す。尚、Ｒ3a、Ｒ3b、Ｒ3c、Ｒ3dはそれぞれ同一でも異なっていても良く、また複数個のＲ3bは同一でも異なっていても良い。〕
一般式（３）において、Ｒ3aはメチル基又はヒドロキシ基が好ましく、Ｒ3bはメチル基又はヒドロキシ基が好ましく、Ｒ3cはメチル基又は水素原子が好ましく、Ｒ3dはメチル基が好ましい。重量平均分子量は、好ましくは５，０００〜１００，０００、特に好ましくは８，０００〜５０，０００である。ここで、重量平均分子量はポリスチレンを標準としてゲルパーミエーションクロマトグラフィーで求めることができる。アミノ基を有する側鎖Ｅとしては、下記のものを挙げることができる。
−Ｃ3Ｈ6−ＮＨ2
−Ｃ3Ｈ6−ＮＨ−Ｃ2Ｈ4−ＮＨ2
−Ｃ3Ｈ6−ＮＨ−［Ｃ2Ｈ4−ＮＨ］p−Ｃ2Ｈ4−ＮＨ2
−Ｃ3Ｈ6−ＮＨ（ＣＨ3）
−Ｃ3Ｈ6−ＮＨ−Ｃ2Ｈ4−ＮＨ（ＣＨ3）
−Ｃ3Ｈ6−ＮＨ−［Ｃ2Ｈ4−ＮＨ］q−Ｃ2Ｈ4−ＮＨ（ＣＨ3）
−Ｃ3Ｈ6−Ｎ(ＣＨ3)2
−Ｃ3Ｈ6−Ｎ(ＣＨ3)−Ｃ2Ｈ4−Ｎ(ＣＨ3)2
−Ｃ3Ｈ6−Ｎ(ＣＨ3)−［Ｃ2Ｈ4−Ｎ(ＣＨ3)］r−Ｃ2Ｈ4−Ｎ(ＣＨ3)2
−Ｃ3Ｈ6−ＮＨ−cyclo-Ｃ5Ｈ11
ここでｐ、ｑ、ｒはそれぞれ１〜３０の数である。
【００２７】
（ｂ）成分として市販品を用いることもでき、例えば、ＧＥ東芝シリコーン（株）製のＴＳＦ４７０７（粘度１００００ｍｍ2／ｓ（２５℃）、アミノ当量７０００）、日本ユニカー（株）製のＳＳ−３５５２（粘度７００ｍｍ2／ｓ（２５℃）、アミノ当量７０００）、ＦＺ−３７０５（粘度２５０ｍｍ2／ｓ（２５℃）、アミノ当量４０００）、ＦＺ−３１９（粘度２０００ｍｍ2／ｓ（２５℃）、アミノ当量４０００）、東レ・ダウコーニング・シリコーン（株）製のＤＣ２−８６３０（粘度１５００ｍｍ2／ｓ（２５℃）、アミノ当量４３００）、ＳＦ８４５２Ｃ（粘度７００ｍｍ2／ｓ（２５℃）、アミノ当量６４００）、ＢＹ１６−８７９Ｂ（粘度１１９０ｍｍ2／ｓ（２５℃）、アミノ当量８０００）、信越化学工業（株）製のＫＦ８５７、ＫＦ８５８、ＫＦ８５９、ＫＦ８６２、ＫＦ８６４、ＫＦ８００１、ＫＦ８８０、旭化成ワッカーシリコーン（株）製のＷＲ３００（粘度６００ｍｍ2／ｓ（２５℃）、アミノ当量３３００）、ＷＲ１１００（粘度５０００ｍｍ2／ｓ（２５℃）、アミノ当量７０００）等を挙げることができる。
【００２８】
［（ｃ）成分］
（ｃ）成分の窒素原子に結合する３個の基のうち、１又は２個が炭素数８〜２０の炭化水素基、残りが炭素数１〜３のヒドロキシ基で置換されていても良い炭化水素基である３級アミン、その中和物もしくはその４級化物としては、一般式（４）で表される３級アミン、その中和物もしくはその４級化物が挙げられる。
【００２９】
【化６】
0004574494.tif 000005
【００３０】
〔式中、Ｒ4aは炭素数８〜２０の炭化水素基、Ｒ4bは炭素数８〜２０の炭化水素基又は炭素数１〜３のヒドロキシ基で置換されていても良い炭化水素基、Ｒ4cは炭素数１〜３のヒドロキシ基で置換されていても良い炭化水素基を示す。〕
一般式（４）において、Ｒ4aとしては炭素数８〜２０のアルキル基及び／又はアルケニル基、特に炭素数１２〜１８のアルキル基が好ましく、Ｒ4bとしては炭素数８〜２０のアルキル基及び／又はアルケニル基、特に炭素数１２〜１８のアルキル基、あるいは炭素数１〜３のアルキル基、特にメチル基が好ましい。Ｒ4cとしては炭素数１〜３のアルキル基、特にメチル基が好ましい。上記３級アミンの中和物としては、塩酸、硝酸、燐酸、硫酸等の無機酸、あるいは酢酸、乳酸、グリコール酸、クエン酸、コハク酸、マレイン酸等の有機酸の塩が挙げられる。また、上記３級アミンの４級化物としては、メチルクロライド等の炭素数が１〜４のアルキルハライド又は炭素数が２〜６のジアルキルサルフェートを用いて４級化したものが挙げられる。
【００３１】
［繊維製品処理剤組成物］
本発明の組成物中の（ａ）成分と（ｂ）成分の重量比は、良好なシワ取り効果、及び柔軟性能を得る観点から、（ａ）／（ｂ）＝１／９〜９／１であり、１／９〜８／２が好ましく、１．５／８．５〜７／３が更に好ましい。
【００３２】
また、本発明の組成物中の（ａ）成分の含量は、良好なシワ取り効果を得る観点から、０．１〜３５重量％が好ましく、２〜２５重量％が更に好ましい。（ｂ）成分の含有量は、良好なシワ取り効果を得る点に加え、品質の観点から、１〜３０重量％が好ましく、３〜２５重量％が更に好ましい。
【００３３】
また、本発明の組成物は、シワ取り効果及び柔軟性を更に向上させる観点から、（ｃ）成分を含有することが好ましい。本発明の組成物中の（ｃ）成分の含有量は、（ａ）成分と（ｂ）成分の合計重量と（ｃ）成分の重量比が、［（ａ）＋（ｂ）］／（ｃ）＝９／１〜２／８となる割合が好ましく、８／２〜３／７が更に好ましい。
【００３４】
本発明の組成物には、貯蔵安定性を改善する目的から、本発明の性能を損なわない程度に、（ｃ）成分以外の界面活性剤を配合することができる。用いることができる界面活性剤としては、陰イオン性界面活性剤、非イオン性界面活性剤、両性界面活性剤等が挙げられる。
【００３５】
陰イオン性界面活性剤としては、炭素数１０〜１５のアルキルベンゼンスルホン酸塩、炭素数１０〜１６のアルキル硫酸エステル塩、炭素数１０〜１６のアルキル基と数平均付加モル数１〜６のオキシエチレン基を有するポリオキシエチレンラウリル硫酸エステル塩、炭素数１０〜１５のα−オレフィンスルホン酸塩、炭素数１０〜１６のα−スルホ脂肪酸メチルエステル塩等を挙げることができる。非イオン性界面活性剤としては、オキシアルキレン基の数平均付加モル数が４〜３０でアルキル基の炭素数が８〜１４のポリオキシエチレン（及び／又はポリオキシプロピレン）アルキルエーテル型非イオン性界面活性剤、アルキル基の炭素数が８〜１６で平均縮合度が１〜５のアルキルポリグルコシド、炭素数１０〜１６の脂肪酸ソルビタンエステル等を挙げることができる。両性界面活性剤としては、アルキル基の炭素数１０〜１８のアルキルジメチルアミンオキサイド、アルカノイル基の炭素数が１０〜１８のアルカノイルアミドプロピルジメチルアミンオキサイド、アルキル基の炭素数が１０〜１８のＮ−アルキル−Ｎ，Ｎ−ジメチル−Ｎ−（２−ヒドロキシ−３−スルホプロピル）アンモニウムベタイン、Ｎ−アルキル−Ｎ，Ｎ−ジメチル−Ｎ−カルボキシメチルアンモニウムベタイン、アルカノイル基の炭素数が１０〜１８のＮ−アルカノイルアミノプロピル−Ｎ，Ｎ−ジメチル−Ｎ−（２−ヒドロキシ−３−スルホプロピル）アンモニウムベタイン、Ｎ−アルカノイルアミノプロピル−Ｎ，Ｎ−ジメチル−Ｎ−カルボキシメチルアンモニウムベタイン等を挙げることができる。
【００３６】
また、本発明の組成物には好ましい外観、貯蔵安定性を改善する目的から、本発明の性能を損なわない程度に有機溶剤を配合することができる。
【００３７】
有機溶剤としては、エタノール、プロパノール、イソプロパノール、エチレングリコール、プロピレングリコール、グリセリン、１−ペンチルグリセリルエーテル、２−ペンチルグリセリルエーテル、２−エチルヘキシルグリセリルエーテル、ジエチレングリコールモノブチルエーテル等が挙げられる。
【００３８】
また、本発明の組成物には、通常繊維仕上げ剤等に配合されている添加剤（例えば、帯電防止剤、香料、抗菌、殺菌剤等）を本発明の目的を損なわない程度に配合することができる。
【００３９】
本発明の組成物の残部は水とすることができ、２０℃でのｐＨが２〜９、更に３〜８であることが好ましい。
【００４０】
本発明の組成物を用いた繊維製品の処理方法は特に限定されず、例えば、繊維製品を本発明の組成物の水希釈液に浸漬させた後、乾燥させる方法等が挙げられる。浸漬処理は、洗い桶や洗面台を使用しても構わないが、通常は洗濯機を用いた洗濯の濯ぎ工程で行うことが簡便であり望ましい。浸漬の際の浴比〔濯ぎ水量（Ｌ）／衣料重量（ｋｇ）〕は、用いる洗濯機の種類等にもよるが、凡そ５〜２０の範囲が望ましい。
【００４１】
本発明の対象となる繊維製品とは、セルロース繊維、獣毛繊維等の天然繊維、再生セルロース繊維、半合成繊維、ポリアミド繊維、ポリエステル繊維、アクリル繊維等の合成繊維を、織布、編布、不織布、積層布、複層織布、多重織布等にした繊維集合体及びその加工品であり、主に一般家庭で用いられるものが対象である。具体的には、ワイシャツ、スーツ、スラックス、ジャケット、スカート、ブラウス、Ｔシャツ、ポロシャツ、トレーナー等の衣類、シーツ、カーペット、カーテン、タオル等が挙げられる。
【００４２】
また、繊維製品を本発明の組成物の水希釈液に浸漬した後の乾燥は、自然乾燥により行うことができる。すなわち、本発明の処理剤は、乾燥機又は洗濯乾燥機を用いて繊維製品を乾燥する場面に限らず、釣り竿やハンガー等で吊り干し乾燥する場面でも、優れたシワ取り効果を有する。ここで言う吊り干し乾燥とは、一般家庭で行われるような通常の吊り干し乾燥の態様であり、室内干し、天日干し、あるいは乾燥機能の付いた浴室で乾燥することも含む。
【実施例】
【００４３】
実施例１〜８及び比較例１〜２
下記配合成分を用い、表１に示す組成の繊維製品処理剤組成物を調製した。この組成物について、以下の方法でシワ取り性能及び風合いを評価した。これらの結果を表１に示す。
【００４４】
＜配合成分＞
・（ａ）成分
（ａ）−１：式（１−１）で表される変性シリコーン［重量平均分子量１４０００、ポリシロキサンブロックの重量平均分子量２７００、ポリオキシアルキレンブロックの重量平均分子量５３０、ポリシロキサンブロックの変性シリコーン全体に占める割合７０重量％、粘度３０００ｍｍ2／ｓ（２５℃）］、アミノ当量８５０ｇ／ｍｏｌ
【００４５】
【化７】
0004574494.tif 000006
【００４６】
（ａ）−２：式（１−２）で表される変性シリコーン［重量平均分子量３２０００、ポリシロキサンブロックの重量平均分子量４３００、ポリオキシアルキレンブロックの重量平均分子量９００、ポリシロキサンブロックの変性シリコーン全体に占める割合７４重量％、粘度５００００ｍｍ2／ｓ（２５℃）］、アミノ当量１３５０ｇ／ｍｏｌ
【００４７】
【化８】
0004574494.tif 000007
【００４８】
（ａ）−３：式（２−１）で表される変性シリコーン［重量平均分子量２７０００、粘度４３０００ｍｍ2／ｓ（２５℃）］、アミノ当量１９００ｇ／ｍｏｌ
【００４９】
【化９】
0004574494.tif 000008
【００５０】
（ａ）−４：式（２−２）で表される変性シリコーン［重量平均分子量３１０００、粘度４４０００ｍｍ2／ｓ（２５℃）］、アミノ当量５２００ｇ／ｍｏｌ
【００５１】
【化１０】
0004574494.tif 000009
【００５２】
・（ａ）成分の比較品
（ａ’）−１：ＦＺ２２２２  日本ユニカー（株）製ポリエーテル変性シリコーン［粘度２５０００ｍｍ2／ｓ（３０℃）、ＨＬＢ＝７］
・（ｂ）成分
（ｂ）−１：ＫＦ８６４  信越化学工業（株）製アミノ変性シリコーン［粘度１７００ｍｍ2／ｓ（２５℃）、アミノ当量３８００］
（ｂ）−２：ＴＳＦ４７０７  ＧＥ東芝シリコーン（株）製アミノ変性シリコーン［粘度１００００ｍｍ2／ｓ（２５℃）、アミノ当量７０００］
（ｂ）−３：ＤＣ２−８６３０  東レ・ダウコーニング（株）製アミノ変性シリコーン［粘度１５００ｍｍ2／ｓ（２５℃）、アミノ当量４３００］
・（ｃ）成分
（ｃ）−１：コータミンＤ８６Ｐ  ジステアリルジメチルアンモニウムクロライド（花王（株）製）
（ｃ）−２：コータミン８６Ｐコンク  ステアリルトリメチルアンモニウムクロライド（花王（株）製）
＜シワ取り性能及び風合いの評価方法＞
（１）吊り干し乾燥
洗濯機として、松下電器産業株式会社製の全自動洗濯機（National NAF70PX5、水量４８Ｌ）を用いた。以下に記載の衣料（総重量４．０ｋｇ）を洗濯槽に入れ、予め柔軟仕上げ剤用の自動投入口に繊維製品処理剤組成物５３ｇをセットし、標準コースで洗濯を行った。洗剤は、花王株式会社製「アタック」を用い、自動投入口にセットした繊維製品処理剤組成物は、ためすすぎ２回目に槽内に添加された。すすぎ処理時の浴比は約１２であった。洗濯終了後、衣料を取り出し、軽く叩きながら整形し、ハンガーに掛けて室内（２０℃、６５％ＲＨ）で乾燥させた。
【００５３】
衣料：肌着（綿１００％）１４枚、ポロシャツ（綿１００％）５枚、ポロシャツ（綿／ポリエステル混紡）５枚、Ｔシャツ（綿１００％）５枚、総計４．０ｋｇ
（２）乾燥機による乾燥
洗濯乾燥機として、松下電器産業株式会社製のドラム洗濯機（National NA-V81）を用いた。以下に記載の衣料（総重量３．０ｋｇ）を洗濯槽に入れ、予め柔軟仕上げ剤用の自動投入口に繊維製品処理剤組成物４０ｇをセットし、標準コースで洗濯を行った。洗剤は、花王株式会社製「アタック」を用い、自動投入口にセットした繊維製品処理剤組成物は、ためすすぎ２回目に槽内に添加された。洗濯終了後、そのまま乾燥モードに切り替え乾燥を行った。
【００５４】
衣料：肌着（綿１００％）１０枚、ポロシャツ（綿１００％）３枚、ポロシャツ（綿／ポリエステル混紡）２枚、Ｔシャツ（綿１００％）４枚、総計３．０ｋｇ
（３）シワ判定
乾燥終了後衣料を取り出し、専用パネラー５名を用いて以下の評価基準にてＴシャツのシワ判定を行い、５名の平均点で示した。
【００５５】
「シワ判定基準」
５点：全くシワがない
４点：ほとんどシワがない
３点：若干シワが残っている
２点：相当シワが残っている
１点：著しくシワが残っている
（４）風合い判定
乾燥終了後衣料を取り出し、専用パネラー５名を用いてＴシャツの風合い判定を行った。判定は処理剤を用いないブランクを対照品として、以下の基準で行い、５名の平均点で示した。
５点：対照品より柔らかい
４点：対照品よりやや柔らかい
３点：対照品と同等
２点：対照品の方がやや柔らかい
１点：対照品の方が柔らかい
【００５６】
【表１】
0004574494.tif 000010